(57)【要約】      （修正有）【課題】喪主に負担をかけることなく、故人を、生前住み慣れた家の中に、自然な雰囲気で安置でき、安置箇所の設営や出棺等についても手間暇をかけることなく簡単にできる棺の安置台を提供する。【解決手段】棺１を載置するための台座２と、この台座２と協働してソファーを形作る本体部３とで形成する。この本体部３を、台座２の長手方向に沿った後面を外装する横長状の腰壁部３ａと、この腰壁部３ａの上方に延ばされている背凭れ３ｂと、また腰壁部３ａの左右の両側から前方に突き出されて台座２の短幅方向に沿った両側面を外装する側壁部３ｃとで形成する。【選択図】図１
0003176270.tif 000002
【実用新案登録請求の範囲】
【請求項１】
棺を載置するための台座と、この台座と協働してソファーを形作る本体部とで形成され、この本体部が、台座の長手方向に沿った後面を外装する横長状の腰壁部と、この腰壁部の上方に延ばされている背凭れと、また腰壁部の左右の両側から前方に突き出されて台座の短幅方向に沿った両側面を外装する側壁部とで形成されていることを特徴とする棺安置台。
【請求項２】
請求項１記載の棺安置台であって、背凭れが腰壁部に着脱自在に設けられていることを特徴とする棺安置台。
【請求項３】
請求項２記載の棺安置台であって、腰壁部の一方の側壁部を他方の側壁部より高くするための継足し材を備えて形成されていることを特徴とする棺安置台。
【請求項４】
請求項1乃至３の何れかに記載の棺安置台であって、台座と本体部が、キャスターを備えて移動自在に形成されていることを特徴とする棺安置台。
【考案の詳細な説明】
【技術分野】
【０００１】
本考案は、棺安置台に関し、更に詳しくは、自宅葬等の葬儀形態に好適なよう形成した棺安置台に関するものである。
【背景技術】
【０００２】
従来、この種の発明としては、例えば特許文献１に示されるように、棺を祭壇内に安置したままの状態で生前住み慣れた家から故人を旅立たせることができるよう形成した移動式斎場がある。
【０００３】
ところで、自宅葬や家族葬と呼ばれる葬儀の場合は、通常、遺族を含めても僅かな人数で催されるものであり、遺族にとっては故人が部屋でくつろいでいるように遺体を安置したい、という希望が多い。
従って、この種の葬儀に使用する棺安置台は、故人を生前住み慣れた家の中に、例えば寝ているような又はリビングのソファでうたた寝しているような状態で安置して遺体の清拭や化粧、着付け、エンバーミングなどのための箇所を確保できるよう形成されているのが望ましい。
【０００４】
しかるに、特許文献１に記載の移動式斎場は、走行車に搭載したり、牽引車で牽引する匣体と、この匣体に収納する祭壇とで構成されているものであった。
従って、この従来品は、故人を生前住み慣れた家から旅立たせることができるものではあっても、装置が大掛かりであり、且つ家の中に故人をくつろいだ状態で安置できるものではなかった。
【先行技術文献】
【特許文献】
【０００５】
【特許文献１】特開平１１−２３５２７０号公報
【考案の概要】
【考案が解決しようとする課題】
【０００６】
本考案は、このような従来の実情に鑑み、提案されたものである。
従って本考案の解決しようとする技術的課題は、喪主に負担をかけることなく、故人を、生前住み慣れた家の中に、自然な雰囲気で安置でき、安置箇所の設営や出棺等についても手間暇をかけることなく簡単、迅速に、且つ低コストでできるよう形成した棺安置台を提供することにある。
【課題を解決するための手段】
【０００７】
本考案は、上記の課題を解決するため、次のような技術的手段を採る。
即ち、本考案は、図１等に示されるように、棺１を載置するための台座２と、この台座２と協働してソファーを形作る本体部３とで形成され、この本体部３が、台座２の長手方向に沿った後面を外装する横長状の腰壁部３ａと、この腰壁部３ａの上方に延ばされている背凭れ３ｂと、また腰壁部３ａの左右の両側から前方に突き出されて台座２の短幅方向に沿った両側面を外装する側壁部３ｃとで形成されていることを特徴とする（請求項１）。
【０００８】
この場合、本考案は、台座２や、腰壁部３ａ及び側壁部３ｃの外面等に、同じ布や化粧材等が設けられ、デザイン上の統一感や一体感を得られるよう形成されているのが好ましい。
【０００９】
また本考案は、図７等に示されるように、背凭れ３ｂが腰壁部３ａに着脱自在に設けられているのが好ましい（請求項２）。
なぜならこれによると、背凭れ３ｂを取り外すことにより、ベッドで寝ている（休んでいる）ように遺体４を安置でき、この種の安置形態を望む遺族の意向に添うことができるからである。
【００１０】
またこの場合、本考案は、腰壁部３ａの一方の側壁部３ｃを他方の側壁部３ｃより高くするための継足し材１０を備えて形成されているのが好ましい（請求項３）。
なぜならこれによると、遺体４の頭を、高い方の側壁部３ｃの側に配置して棺１を配置でき、故人がいかにもベッドに横たわっているように安置できるからである。
【００１１】
また本考案は、台座２と本体部３が、キャスター７を備えて移動自在に形成されているのが好ましい（請求項４）。
なぜならこれによると、台座２や本体部３の移動が楽になり、本考案品の組立て、設置、分解後の移動を容易化、迅速化できるからである。
【考案の効果】
【００１２】
本考案は、このように棺を載置するための台座と、この台座と協働してソファーを形作る本体部とで形成され、この本体部が、台座の長手方向に沿った後面を外装する横長状の腰壁部と、この腰壁部の上方に延ばされている背凭れと、また腰壁部の左右の両側から前方に突き出されて台座の短幅方向に沿った両側面を外装する側壁部とで形成されている。
【００１３】
従って本考案によると、故人を住み慣れた家の中に、ソファーで寝ている（休んでいる）ように自然な状態で安置できる。
また本考案は、構造が簡単であるから、組立てや分解を容易にでき、設営の手間暇やコストを軽減化、低廉化できる。
それ故、本考案によると、最後のときを家族だけで過ごしたい、と希望する遺族の気持ちに添った葬儀形態を、手間暇をかけることなく、安価に提供できる。
【図面の簡単な説明】
【００１４】
【図１】本考案の棺安置台の好適な一実施形態を示す斜視図である。
【図２】同上棺安置台の使用状態の斜視図である。
【図３】同上棺安置台の使用状態の平面図である。
【図４】同上棺安置台の使用状態の背面図である。
【図５】同上棺安置台の使用状態の側面図である。
【図６】棺を載せた台座の側面図である。
【図７】同上棺安置台の他の実施形態を示す斜視図である。
【図８】図７の実施形態の斜視図である。
【図９】図７の実施形態の平面図である。
【図１０】図７の実施形態の正面図である。
【図１１】図７の実施形態の側面図である。
【図１２】棺と台座の他の実施形態を示す分解斜視図である。
【考案を実施するための形態】
【００１５】
以下、本考案を実施するための好適な一実施形態を、添付図面に従って説明する。
本考案は、図１等に示されるように、棺１を載置するための台座２と、この台座２と協働してソファーを形作る本体部３とで形成されている。
【００１６】
棺１は、直方体状に形成され、遺体４が見え易くなるよう、この実施形態では周りの側板１ａが低く形成されている。また棺１の長手方向に沿った外側面は、この実施形態では布地５で化粧仕上げされている。なお、６は遺体４や棺１を覆う掛け布である。
【００１７】
台座２は、この実施形態では長さが１９００ｍｍ、幅が６００ｍｍ、高さが４００ｍｍに選定されている。そして、長手方向に沿った前側の外側面は、棺１とデザインが調和するよう、棺１と同じ布地５で化粧仕上げされている。また台座２は、移動が容易になるよう、底面の四隅にキャスター７が設けられている。
【００１８】
本体部３は、台座２の長手方向に沿った後面を外装する横長状の腰壁部３ａと、この腰壁部３ａの上方に延ばされている背凭れ３ｂと、また腰壁部３ａの左右の両側から前方に突き出されて台座２の短幅方向に沿った両側面を外装する側壁部３ｃとで形成されている。
【００１９】
腰壁部３ａは、この実施形態ではパネル状に形成されている。背凭れ３ｂは、腰壁部３ａの裏側の全体を覆う部分３ｂ１と、腰壁部３ａより高い部分３ｂ２とが一体化され、腰壁部３ａより高い部分３ｂ２は腰壁部３ａの長手方向の全長にわたって上方に延ばされている。腰壁部３ａの内寸は、組み込みスペースＳに台座２をセットできるよう、台座２の長さより幾分長く選定されている。この実施形態の場合、背凭れ３ｂの奥行きＤ（図３参照）は２００ｍｍ、背凭れ３ｂの左右方向の長さＬは、約２３００ｍｍに選定されている。
【００２０】
また側壁部３ｃは、この実施形態では厚みＴ（図３参照）が２００ｍｍ、前後方向（奥行き方向）の長さＧが６００ｍｍに選定されている。側壁部３ｃの上面は、この実施形態では化粧板８で覆われ、この化粧板８は面状ファスナー（図示せず）等で取り付け取り外しができるよう形成されている。なお、背凭れ３ｂ、両側壁部３ｃの外部露出面は、棺１や台座２と同じ布地５で化粧仕上げされている。
【００２１】
またこの実施形態では、両側壁部３ｃの前後位置に、キャスター７が設けられている。これにより、本考案品は、台座２と共に、本体部３も移動自在に形成されている。
【００２２】
またこの実施形態の本考案は、背凭れ３ｂが、図７に示されるように、腰壁部３ａ又は両側壁部３ｃに対し着脱ができるよう形成されている。具体的には、背凭れ３ｂの下部両側の内面に例えば雄型の面状ファスナー９が取り付けられ、この面状ファスナー９に対応する両側壁部３ｃの後面に雌型の面状ファスナー（図示せず）が取り付けられ、両者を噛み合わすことでワンタッチで取り付け、取り外しができるよう形成されている。なお、背凭れ３ｂの着脱構造は、これに限定されるものではない。
【００２３】
またこの実施形態の本考案品は、一方の側壁部３ｃを他方の側壁部３ｃより高くするための継足し材１０を備えて形成されている。この継足し材１０は、一方の側壁部３ｃの化粧板８を取り外し、一方の側壁部３ｃの上面に設けてある面状ファスナー（図示せず）に、継足し材１０の下面の面状ファスナー（図示せず）を噛み合わすことで固定可能に形成されている。この継足し材１０の着脱構造も、背凭れ３ｂの場合と同様、これに限定されるものではない。なお、この実施形態の場合、継足し材１０の上面は化粧板８で覆われ、他方の側壁部３ｃの化粧板８は外されている。
【００２４】
次に、この実施形態の本考案品の使用例を説明する。
【００２５】
本考案は、先ず、例えば葬儀社の社員が、故人の自宅で棺１を台座２に載せ、この台座２を、図１に矢示されるように、本体部３の組み込みスペースＳに組み込む。
これにより本考案は、図２に示されるように、遺体４を、ソファに横たわっているように安置できる。
【００２６】
而して、出棺等の際に、棺１を移動する場合は、本体部３の組み込みスペースＳから台座２を引き出し、台座２を本体部３から分離する。そして棺１を台座２と一緒に移動する。従って本考案の場合は、台座２を、棺１を運ぶ台車としても利用することができる。
【００２７】
次に、遺体４をベッドに寝かせているように安置する場合の例を、図７等に従って説明する。
【００２８】
作業者は、先ず腰壁部３ａから背凭れ３ｂを取り外し、一方の側壁部３ｃの上面の化粧板８を取り外した後、継足し材１０を、例えば面状ファスナーを利用して一方の側壁部３ｃの上に取り付ける。これにより、継足し材１０の高さ分だけ、一方の側壁部３ｃが他方の側壁部３ｃより高くなる。
【００２９】
次に、この状態で、作業者は、台座２を、組み込みスペースＳに組み込む。これにより、図８、図９に示されるように、遺体４をベッドに寝ているように安置できる。
【００３０】
以上の処において、本考案品は、遺体４をソファやベッドで寝ている（休んでいる）ように安置できるのであれば、棺１、台座２、本体部３の形状、デザイン、材質等は任意である。
【００３１】
また上記の通り、本考案は、背凭れ３ｂや継足し材１０の着脱構造は、自由である。即ち、本考案は、例えば凸部と凹部との組み合わせで嵌め合わせ構造にしたり、或いは専用の連結金具を利用するのでも良い。また本考案は、現場で組立てが容易になるよう、本体部３を構成する腰壁部３ａ、側壁部３ｃ、及び背凭れ３ｂを、夫々独立状に形成し、互いに連結可能に形成するのでも良い。
【００３２】
また本考案は、図１２に示されるように、台座２を上面開口状のケースに形成し、棺１の下部を台座２に納めて載せるように形成しているのでも良い。この場合は、棺１を運ぶとき、振動や衝撃があっても、棺１が台座２から過って落下することを防止でき、安定した状態で棺１を運ぶことができる。なお、１１は、棺１の側板１ａに凹段差状に形成されている把手である。
【符号の説明】
【００３３】
１      棺
２      台座
３      本体部
３ａ    腰壁部
３ｂ    背凭れ
３ｃ    側壁部
【図１】
0003176270.tif 000003
【図２】
0003176270.tif 000004
【図３】
0003176270.tif 000005
【図４】
0003176270.tif 000006
【図５】
0003176270.tif 000007
【図６】
0003176270.tif 000008
【図７】
0003176270.tif 000009
【図８】
0003176270.tif 000010
【図９】
0003176270.tif 000011
【図１０】
0003176270.tif 000012
【図１１】
0003176270.tif 000013
【図１２】
0003176270.tif 000014